(57)【要約】【課題】短時間でむらなく簡単に食材を焼き上げるための立体直立構造を具有するグリル装置を提供する。【解決手段】外筒１と芯部２とより構成し、該外筒１においては上方が開口、また下方の外壁上には加熱盤１３を嵌設する欠口１２を設け、該芯部２においては底網２１と数個の加熱筒２２より構成され、該数個の加熱筒２２によりグリルエリア２３を形成し、該加熱筒２２上方は開口個所から燃料や加熱器を挿入した後に該外筒１に設置し、該加熱盤１３を該欠口１２より挿入して点火或いは加熱を行い、燃料が加熱されてから食品を該グリルエリ２３アに設置する。【選択図】  図  ２ 
0003109713.tif 000002
【実用新案登録請求の範囲】
【請求項１】
底部に孔を具有する筒底、並びに上方は開口状を呈しす外筒口を具有する外筒と、
上方は開口状を呈する加熱筒口、並びに周縁及び底部は孔を具有し、各加熱筒を外筒内に設置し、中央にグリルエリアを形成する少なくとも二つの該加熱筒と、
筒体を呈し、底部に具有する芯底、並びに上方は開口状を呈し、サイズは該グリルエリアに対応する芯部と、
を具有し、
加熱筒に燃料を入れ、並びに外筒を設置し、該グリルエリアへ芯部を設置し、食材を芯部へ入れ、燃料を燃焼又は加熱筒内に設置した電気エネルギーによる装置を起動させることにより食材を焼くことを特徴とする立体直立構造を具有するグリル装置。
【請求項２】
前記外筒の筒底は格子状の網状を呈することを特徴とする請求項１に記載の立体直立構造を具有するグリル装置。
【請求項３】
前記加熱筒の周縁は各格子状の網状を呈し、且つ内側はアーチ状を呈すことを特徴とする請求項１に記載の立体直立構造を具有するグリル装置。
【請求項４】
前記外筒に少なくとも一つの断熱性の取っ手を設置し、更に該外筒に上蓋が設けられることを特徴とする請求項１に記載の立体直立構造を具有するグリル装置。
【請求項５】
更に、外筒に該隔壁筒を設置し、且つ数、サイズ及び形状は加熱筒の空間部に対応し、一定の位置へおさまる該隔壁筒と、
周縁は格子状を呈し、芯底は格子状の網を呈し又は孔を具有しない板体状を呈す芯部と、
更に、上方は半分閉じている筒体を呈し、且つサイズは芯部内壁よりも小さい芯筒と、
を具有することを特徴とする請求項１に記載の立体直立構造を具有するグリル装置。
【考案の詳細な説明】
【技術分野】
【０００１】
特に、周縁が熱源となり、並びに中央に食材を入れる筒体を設置することによりグリルエリアを構成し、燃料を消耗せず、且つ食材へ均等に火がとおり、短時間で焼きあがる立体式のグリル装置に関わる。
【背景技術】
【０００２】
木炭を用いる食材の焼き方として、従来、木炭を食材の下方に置き、更に上昇する熱エネルギーにより食材に火がとおる方法がある。。
【考案の開示】
【考案が解決しようとする課題】
【０００３】
しかし上述のような公知における木炭を用いる食材の焼き方には、下記の欠点がある。火がついた木炭をあおぐ必要があり、木炭が足りなくなると木炭を足すが、火がついていない木炭を入れると温度がさがってしまい、食材を焼く効率が悪くなる。
また表面しか焼けてなかったり、焦げてしまう、食材から汁がたれて火を消してしまうことを防止し、また食材を裏返す必要があるため人力が必要があり、及び燃料の浪費、且つ煙がたちこめるなどの問題がある。
そこで、これらの欠点を解決するために、
上述公知の構造の欠点を解決するため、食材へ均等に火がとおり、短時間で焼きあがる立体式のグリル装置を提供することを課題とする。
【課題を解決するための手段】
【０００４】
上記課題を解決するため、
請求項１の考案は、底部に孔を具有する筒底、並びに上方は開口状を呈しす外筒口を具有する外筒と、
上方は開口状を呈する加熱筒口、並びに周縁及び底部は孔を具有し、各加熱筒を外筒内に設置し、中央にグリルエリアを形成する少なくとも二つの該加熱筒と、
筒体を呈し、底部に具有する芯底、並びに上方は開口状を呈し、サイズは該グリルエリアに対応する芯部と、
を具有し、
加熱筒に燃料を入れ、並びに外筒を設置し、該グリルエリアへ芯部を設置し、食材を芯部へ入れ、燃料を燃焼又は加熱筒内に設置した電気エネルギーによる装置を起動させることにより食材を焼くことを特徴とする立体直立構造を具有するグリル装置。
請求項２の考案は、前記外筒の筒底は格子状の網状を呈することを特徴とする請求項１に記載の立体直立構造を具有するグリル装置。
請求項３の考案は、前記加熱筒の周縁は各格子状の網状を呈し、且つ内側はアーチ状を呈すことを特徴とする請求項１に記載の立体直立構造を具有するグリル装置。
請求項４の考案は、前記外筒に少なくとも一つの断熱性の取っ手を設置し、更に該外筒に上蓋が設けられることを特徴とする請求項１に記載の立体直立構造を具有するグリル装置。
請求項５の考案は、更に、外筒に該隔壁筒を設置し、且つ数、サイズ及び形状は加熱筒の空間部に対応し、一定の位置へおさまる該隔壁筒と、
周縁は格子状を呈し、芯底は格子状の網を呈し又は孔を具有しない板体状を呈す芯部と、
更に、上方は半分閉じている筒体を呈し、且つサイズは芯部内壁よりも小さい芯筒と、
を具有することを特徴とする請求項１に記載の立体直立構造を具有するグリル装置。
【考案の効果】
【０００５】
本考案によれば、食材へ均等に火がとおり、短時間で焼きあがることを達成する。
【考案を実施するための最良の形態】
【０００６】
本考案の好適な実施例を図面に沿って説明する。
図１から３に示すように、本考案の立体直立構造を具有するグリル装置は、主に外筒１、少なくとも二つの加熱筒２、芯部３、芯筒４、隔壁筒５及び/又は上蓋６により構成し、
例えば燃料として炭を加熱筒２内へ入れ、加熱筒２を外筒１内へ設置し、更に芯部３を加熱筒２の内側が形成するグリルエリアへ設置し、このとき外筒１の筒底１１の燃料へガス、火種或いはアルコールにより火をつけ、上方の燃料が燃焼し始めたら食材を芯部３へ入れ、加熱筒２は芯部３を取り囲む形状を呈し、これにより食材は周囲から熱を受け入れ短時間で火が通る。例えば、トウモロコシの場合２〜３分間で完全に均等に火がとおり、公知の構造より大幅に時間を短縮し、並びに燃料を消耗しない以外に食材へ均等に火がとおり、並びに炭火を迅速に２０秒以内に取り出し、水中にひたすことにより完全に火が消えるため残り火の心配もなくなる。
また、食材と燃料の間は隔たりがあるため衛生的であり、もし、芯部３が格子状の網の場合、芯筒４の片面を封じてもよく、該芯筒４は熱伝導に優れ、且つ耐熱性を具有する筒体であり、底部に封じるための底板４１を具有し、上方の開口する芯筒口４２は食材を入れるために用いる。
この他に、前記加熱筒２を一定の位置へおさめるため空洞の隔壁筒５を設け、該隔壁筒５の外部のサイズは外筒１より小さく、且つ加熱筒２の数及びサイズ、形状は隔壁スペース５１に対応している。
蒸らす場合、図に示すように上蓋６を設け、該上蓋６は外筒口１２に合わせたサイズを呈し、上蓋６をしめることにより食材への火の通りがさらに早くなる。
前記加熱筒２２内へ木炭ではなく電力による加熱装置を設置することもでき、固形燃料ではなく電気エネルギーとすることもできる。
【０００７】
該外筒１は筒状を呈しており、該外筒１底部は孔を具有する筒底１１を具有し、該筒底１１は燃料を燃やすため、格子状の網である必要があるが、若干の孔を具有するだけでもよく、該外筒１下方周縁は封じる、又は若干の孔を開けて通気口とすることができ、該外筒１上方の外筒口１２は開口状を呈し、この他に該外筒１左右側面へ断熱性の取っ手１３をそれぞれ設け、該外筒１の形状は円柱が好ましいがこの限りではなく、例えば四角柱、多角柱とすることもできる。
【０００８】
加熱筒２は網素材であることが好ましく、該加熱筒２上方の加熱筒口２１は開口状を呈し、例えば燃料として木炭を入れ、該網素材は、耐熱性の格子網に優れるステンレスであることが好ましく、且つ数は二つ又は二つ以上とし、該加熱筒２を組み立て後中央にグリルエリアを形成し、該加熱筒２の内側の形状はアーチ状を呈しており、容易に前記外筒１から取り出せ、水へつけることにより火が消える。
【０００９】
芯部３は筒状を呈し、形状とサイズは前記グリルエリアに対応しており、且つ該芯部３底部は開口していない芯底３１を具有し、該芯部３上方の芯口３２は開口状を呈し、食材を入れるために用い、該芯部３は耐熱性に優れると同時に熱伝導性に優れる格子状の網素材により形成する。
【図面の簡単な説明】
【００１０】
【図１】本考案における立体分解図である。
【図２】本考案における組み立て後の立体図である。
【図３】本考案における組み立て後の断面図である。
【符号の説明】
【００１１】
１        外筒
２        加熱筒
３        芯部
４        芯筒
５        隔壁筒
６        上蓋
１１      筒底
１２      外筒口
１３      取っ手
２１      加熱筒口
３１      芯底
３２      芯口
４１      底板
４２      芯筒口
５１      空間
【図１】
0003109713.tif 000003
【図２】
0003109713.tif 000004
【図３】
0003109713.tif 000005